(57)【要約】      （修正有）【課題】被写体及び構図に応じて、画質が異なる複数の画像を同時に撮影できる撮像装置、その制御方法及びプログラムを構築する。【解決手段】撮像装置は、互いに独立して撮影が可能な複数の撮像部と複数の撮像部のそれぞれに対し、撮影する際の画質に関するパラメータを独立して設定可能なパラメータ設定部とを備え、前記複数の撮像部は、第１の画角で撮影する第１の撮像部と、前記第１の画角よりも狭い第２の画角で撮影する第２の撮像部とを含む。【選択図】図１
2013219525.tif 000002
【特許請求の範囲】
【請求項１】
互いに独立して撮影が可能な複数の撮像部と、
前記複数の撮像部のそれぞれに対し、撮影する際の画質に関するパラメータを独立して設定可能なパラメータ設定部と、
を備えることを特徴とする撮像装置。
【請求項２】
前記複数の撮像部は、第１の画角で撮影する第１の撮像部と、前記第１の画角よりも狭い第２の画角で撮影する第２の撮像部と、を含む請求項１に記載の撮像装置。
【請求項３】
前記各撮像部は、前記パラメータに基づいて、階調補正、ガンマ補正、ホワイトバランス補正、ノイズ除去、輪郭補正の少なくともいずれかの処理を行う請求項１又は２に記載の撮像装置。
【請求項４】
前記パラメータ設定部は、ユーザの操作に基づいて、前記パラメータを変更する請求項１乃至３のいずれか一に記載の撮像装置。
【請求項５】
前記パラメータは、明度、色調、彩度、シャッター速度、露出、ホワイトバランスの少なくともいずれかの情報を含む請求項１乃至４に記載の撮像装置。
【請求項６】
さらに、前記第１の撮像部によって撮影される画像と、予め登録された所定の画像と、の照合結果に基づいて、前記第２の撮像部が撮影する被写体を決定する被写体決定部を備える請求項２乃至５のいずれか一に記載の撮像装置。
【請求項７】
さらに、前記第１の撮像部によって撮影される画像を表示する第１の表示領域と、前記第２の撮像部によって撮影される画像を表示する第２の表示領域と、を含む表示部と、
を備え、
前記被写体決定部は、第１の表示領域内で、ユーザによって指定された位置を基準として対象物を特定し、前記対象物を前記被写体として決定する請求項６又は７に記載の撮像装置。
【請求項８】
複数の撮像部を備える撮像装置の制御方法であって、
複数の画像を独立して撮影する工程と、
前記複数の撮像部のそれぞれに対し、撮影する際の画質に関するパラメータを独立して設定可能なパラメータ設定工程を含むことを特徴とする撮像装置の制御方法。
【請求項９】
複数の撮像部を備える撮像装置を制御するコンピュータに実行させるプログラムであって、
複数の画像を独立して撮影する処理と、
前記複数の撮像部のそれぞれに対し、撮影する際の画質に関するパラメータを独立して設定可能なパラメータ設定処理を実行するプログラム。
【発明の詳細な説明】
【技術分野】
【０００１】
本発明は、撮像装置、その制御方法及びプログラムに関する。特に、複数の撮像部を備えた撮像装置、その制御方法及びプログラムに関する。
【背景技術】
【０００２】
観光地やイベント会場等では、特定の被写体を中心とした画像と、その被写体を含む全体の風景を撮影した画像と、２つを撮影する場合がある。例えば、子供のお遊戯会等を撮影する場合に、会場全体を撮影した画像と自分の子供を拡大した画像の両方を撮影する場合がある。しかし、このような画像を撮影する際、都度、画角を切り替えて異なる構図で撮影しようとすると、シャッターチャンスを逃してしまう恐れがある。
【０００３】
特許文献１において、タッチパネルを用いて、ズーム領域を設定し、設定したズーム領域内の画像をサブ画面に表示する撮像装置が開示されている。
【０００４】
また、特許文献２において、顔画像認識機能を備え、顔に焦点があっていない場合には、顔に焦点があっていない旨を警告するデジタルカメラが開示されている。
【０００５】
また、特許文献３において、個別に画角を変更可能な複数の光学系を備え、被写体に応じて、画角を変更可能な撮像装置が開示されている。
【先行技術文献】
【特許文献】
【０００６】
【特許文献１】特開２００８−２４５０５５号公報
【特許文献２】特開２０１０−０６８２９７号公報
【特許文献３】特開２０１１−１０９４２７号公報
【発明の概要】
【発明が解決しようとする課題】
【０００７】
なお、上記先行技術文献の各開示を、本書に引用をもって繰り込むものとする。以下の分析は、本発明の観点からなされたものである。
【０００８】
上述のとおり、画角を切り替えて異なる構図で撮影しようとすると、シャッターチャンスを逃してしまう恐れがある。
【０００９】
特許文献１及び２で開示された技術では、画角の異なる画像を同時に取得することができない。
【００１０】
特許文献３で開示された技術では、異なる画質で、画角の異なる画像を撮影することはできない。しかし、被写体及び構図が変わると、ユーザが求める画質は異なるのが通常である。例えば、子供のお遊戯会を撮影する際に、子供の動きをブレのない画像で撮影する場合が考えられる。一方、お遊戯会の全体については、色味を忠実に再現した画像で撮影する場合が考えられる。
【００１１】
そのため、被写体及び構図に応じて、画質が異なる複数の画像を同時に撮影できる撮像装置、その制御方法及びプログラムが、望まれる。
【課題を解決するための手段】
【００１２】
本発明の第１の視点によれば、互いに独立して撮影が可能な複数の撮像部と、前記複数の撮像部のそれぞれに対し、撮影する際の画質に関するパラメータを独立して設定可能なパラメータ設定部と、を備える撮像装置が提供される。
【００１３】
本発明の第２の視点によれば、複数の撮像部を備える撮像装置の制御方法であって、複数の画像を独立して撮影する工程と、前記複数の撮像部のそれぞれに対し、撮影する際の画質に関するパラメータを独立して設定可能なパラメータ設定工程を含む撮像装置の制御方法が提供される。
【００１４】
本発明の第３の視点によれば、複数の撮像部を備える撮像装置を制御するコンピュータに実行させるプログラムであって、複数の画像を独立して撮影する処理と、前記複数の撮像部のそれぞれに対し、撮影する際の画質に関するパラメータを独立して設定可能なパラメータ設定処理を実行するプログラムが提供される。
【発明の効果】
【００１５】
本発明の各視点によれば、被写体及び構図に応じて、画質が異なる複数の画像を同時に撮影できる撮像装置、その制御方法及びプログラムが、提供される。
【図面の簡単な説明】
【００１６】
【図１】一実施形態を説明するための図である。
【図２】撮像部が出力する画像の一例を示す図である。
【図３】第１の実施形態に係る撮像装置１の内部構成の一例を示す図である。
【図４】表示部６０の表示の一例を示す図である。
【図５】撮像装置１の動作の一例を示すフローチャートである。
【図６】撮像装置１の動作の一例を示すフローチャートである。
【図７】第２の実施形態に係る撮像装置１ａの表示部６０の一例である。
【図８】第２の実施形態に係る撮像装置１ａの内部構成の一例を示す図である。
【発明を実施するための形態】
【００１７】
初めに、図１を用いて一実施形態の概要について説明する。なお、この概要に付記した図面参照符号は、理解を助けるための一例として各要素に便宜上付記したものであり、本発明を図示の態様に限定することを意図するものではない。
【００１８】
上述のとおり、画角を切り替えて異なる構図で撮影しようとすると、シャッターチャンスを逃してしまう恐れがある。さらに、被写体及び構図が変わると、ユーザが求める画質は異なるのが通常である。従って、被写体及び構図に応じて、画質が異なる複数の画像を同時に撮影できる撮像装置が、望まれる。
【００１９】
そこで、一例として、図１に示す撮像装置１００を提供する。撮像装置１００は、互いに独立して撮影が可能な複数の撮像部１０１と、複数の撮像部１０１のそれぞれに対し、撮影する際の画質パラメータを独立して設定可能なパラメータ設定部１０２と、を備える。
【００２０】
撮像装置１００は、互いに独立して撮影が可能な複数の撮像部１０１を備える。そのため、撮像装置１００は、同時に複数の画像を撮影できる。例えば、子供のお遊戯会等で、画角を切り替えていると、子供が活躍した瞬間を撮影できない恐れがある。しかし、撮像装置１００では、画角の異なる画像を撮影する際に、画角を切り替える必要がない。従って、撮像装置１００では、シャッターチャンスを逃さず、撮影することができる。
【００２１】
さらに、撮像装置１００は、各撮像部１０１で撮影する画像に対して、異なる画質を設定できる。例えば、子供のお遊戯会等で、会場の雰囲気を忠実に再現する色再現性で撮影する。同時に、子供に焦点を合わせて、ブレのない画質で撮影できる。従って、撮像装置１００は、被写体及び構図に応じて、画質が異なる複数の画像を同時に撮影できる。
【００２２】
以下に具体的な実施の形態について、図面を参照してさらに詳しく説明する。
【００２３】
［第１の実施形態］
第１の実施形態について、図面を用いてより詳細に説明する。
【００２４】
図２は、異なる撮像部により得られる画像の一例である。図２（ａ）及び（ｂ）に示すように、本実施形態に係る撮像装置１は、異なる画角及び画質で画像を出力できる。
【００２５】
図３は、撮像装置１の内部構成の一例を示す図である。なお、図３には簡単のため、本実施形態に係る撮像装置１に関係するモジュールのみを記載する。
【００２６】
撮像装置１は、第１の撮像部１０と、第２の撮像部２０と、制御部３０と、記憶部４０と、操作部５０と、表示部６０と、報知部７０と、を含んでいる。制御部３０は、パラメータ設定部３１と、被写体決定部３２と、を含む。操作部５０は、シャッターボタンを含み、記録／再生モードの切り換えキー、十字キー、メニューキー等の各種操作キーからなる。なお、以下の説明では、第１の撮像部１０が出力する画像を広角画像と呼ぶ。さらに、第２の撮像部２０が出力する画像を望遠画像と呼ぶ。
【００２７】
第１の撮像部１０は、第１の光学系１１と、第１の撮像素子１２と、Ａ／Ｄ（Ａｎａｌｏｇ  Ｔｏ  Ｄｉｇｉｔａｌ）変換器１３と、画像処理ＤＳＰ（Ｄｉｇｉｔａｌ  Ｓｉｇｎａｌ  Ｐｒｏｃｅｓｓｉｎｇ）１４と、画像処理用記憶部１５と、を含んでいる。そして、第１の光学系１１は、撮影レンズ１６と、絞り１７と、を含んでいる。
【００２８】
撮影レンズ１６は、ズームレンズやフォーカスレンズを含む複数の光学系で構成される。図３では、簡単のため、撮影レンズ１６を一枚のレンズで示している。
【００２９】
第１の撮像素子１２は、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等によって構成される。第１の光学系１１は、撮影レンズ１６で集光した光信号を、第１の撮像素子１２の受光面に結像させる。そして、第１の撮像素子１２は、受光した光信号を電気信号（アナログ信号）に変換する。
【００３０】
Ａ／Ｄ変換器１３は、第１の撮像素子１２から出力されるアナログ信号をデジタル信号に変換する。そして、Ａ／Ｄ変換器１３は、変換されたデジタル信号を画像処理ＤＳＰ１４に入力する。
【００３１】
画像処理ＤＳＰ１４は、Ａ／Ｄ変換器１３から出力されるデジタル信号に対して、画像処理を行う。具体的には、画像処理ＤＳＰ１４は、階調補正、ガンマ補正、ホワイトバランス補正、ノイズ除去、輪郭補正等の処理を行う。ここで、画像処理用記憶部１５は、画像処理用の各種パラメータを記憶している。そして、画像処理ＤＳＰ１４は、画像処理が施されたデジタル信号を出力する。
【００３２】
第２の撮像部２０は、第２の光学系２１と、第２の撮像素子２２と、Ａ／Ｄ変換器２３と、画像処理ＤＳＰ２４と、画像処理用記憶部２５と、を含んでいる。そして、第２の光学系２１は、撮影レンズ２６と、絞り２７と、を含んでいる。第２の撮像部２０の各部は、第１撮像部１０と同様であるため、詳細な説明を省略する。
【００３３】
表示部６０は、シャッターボタン押下前の画像（以下、プレビュー画像と呼ぶ）、シャッターボタン押下後の画像（以下、撮影画像と呼ぶ）、設定メニュー等を表示する。また、設定メニューを介して、ユーザは、各撮像部に対する画質に関するパラメータ（以下、画質パラメータと呼ぶ）の設定や、撮影画像の保存等の操作を行える。画質パラメータとは、具体的には、明度、色調、彩度、シャッター速度、露出、ホワイトバランス等に関するパラメータである。なお、以下の説明では、表示部６０にプレビュー画像を表示することを、プレビュー表示と呼ぶ。なお、プレビュー表示は、各撮像部の出力と同期した動画が表示されることが好ましい。
【００３４】
さらに、表示部６０は、第１の表示領域６１と、第２の表示領域６２を含んで、構成される。なお、表示部６０は、液晶パネル、及び有機ＥＬ（Ｅｌｅｃｔｒｏ  Ｌｕｍｉｎｅｓｃｅｎｃｅ）パネル等、各種存在するがその方式は問わない。
【００３５】
制御部３０は、各撮像部から出力される画像を、表示部６０に表示させる。ここで、制御部３０は、広角画像を第１の表示領域６１に、望遠画像を第２の表示領域６２に表示させる。なお、広角画像、又は望遠画像のいずれかのみを表示部６０に表示させてもよい。その場合、操作部５０に対するユーザの操作に基づいて、制御部３０は、表示部６０に表示させる画像を切り替えることができてもよい。
【００３６】
さらに、パラメータ設定部３１は、各撮像部に対して、異なる画質パラメータを設定する。ここで、ユーザが、表示部６０に表示される画像を確認しながら、各撮像部における画質パラメータを決定してもよい。パラメータ設定部３１は、各撮像部の画像処理用記憶部１５及び２５に、設定された画質パラメータを格納する。
【００３７】
例えば、第１の撮像部１０には、実際の色味よりも誇張した（鮮やかな）画像を出力するように、パラメータ設定部３１は画質パラメータを設定する。一方、第２の撮像部２０には、第１の撮像部１０よりシャッター速度を上げて、ブレのない画像を出力するように、パラメータ設定部３１は画質パラメータを設定してもよい。
【００３８】
あるいは、第１の撮像部１０には、実際の色味を忠実に再現するように、パラメータ設定部３１は画質パラメータを設定する。一方、第２の撮像部２０には、第１の撮像部１０よりシャッター速度を下げて、ノイズの少ない画像を出力するように、パラメータ設定部３１は画質パラメータを設定してもよい。
【００３９】
被写体決定部３２は、広角画像と、予め登録された所定の画像と、の照合結果に基づいて、第２の撮像部２０で撮影する被写体を決定する。具体的には、予め、ユーザは、検出対象の画像を記憶部４０に登録しておく。そして、被写体決定部３２は、広角画像と、記憶部４０に登録された対象物の画像を照合して、対象物を検出する。被写体として、特定の人物を検出する場合には、被写体決定部３２は、広角画像と、人物の顔画像を照合することが好ましい。照合方法には、エッジやコーナー等の特徴点を照合する方法や、テンプレートマッチングする方法等が考えられる。また、人物の顔画像を照合する場合には、眼、口、鼻などの特徴点を照合しても良い。なお、照合方法は、各種あるが、その方式は問わない。
【００４０】
そして、被写体決定部３２は、検出された対象物を被写体とするように、第２の撮像部２０を制御する。具体的には、被写体決定部３２は、決定された被写体を拡大するように、第２の撮像部２０の画角を調整する。かつ、被写体決定部３２は、決定された被写体に焦点を合わせる。そして、制御部３０は、第２の表示領域６２に望遠画像をプレビュー表示させる。
【００４１】
図４は、表示部６０の表示の一例を示す図である。制御部３０は、第１の表示領域６１に、広角画像を表示させる。ここで、人物２０１の顔画像が登録されている場合には、制御部３０は、広角画像から人物２０１の顔を検出する。図４に示すように、制御部３０は、第２の表示領域６２に、検出した顔画像の人物を拡大した画像を表示させる。
【００４２】
一旦、被写体を決定した後は、制御部３０は、その被写体の追跡処理を行う。その際、制御部３０は、被写体を拡大した状態で、第２の撮像部２０の焦点を合わせる。
【００４３】
また、広域画像から追跡対象の被写体を検出できない場合、報知部７０は、ユーザに検出失敗を報知する。例えば、報知部７０は、警告音を出力して、検出失敗を報知することが好ましい。または、報知部７０は、ＬＥＤ（Ｌｉｇｈｔ  Ｅｍｉｔｔｉｎｇ  Ｄｉｏｄｅ）を備え、光によって、検出失敗を報知してもよい。あるいは、報知部７０は、表示部６０に、警告メッセージを表示してもよい。なお、対象の被写体を検出できないことをユーザに報知できれば、報知部７０として、他の報知の方法を用いてもよい。
【００４４】
操作部５０のシャッターボタンが押下された場合、制御部３０は、各撮像部に撮影画像を出力させる。具体的には、各撮像部は、各撮像部に対して設定された画質パラメータに基づいて、撮影画像を出力する。
【００４５】
そして、制御部３０は、表示部６０に、撮影画像を表示させる。ユーザは、表示される撮影画像を確認して、撮影画像を保存するか否かを、判断する。撮影画像を保存すると判断した場合には、制御部３０は、記憶部４０に撮影画像を保存する。ここで、制御部３０は、ユーザの操作に基づいて、記憶部４０に、広角画像又は望遠画像のいずれかのみを保存してもよい。なお、図３においては、記憶部４０は、撮像装置１の内部に配置されているが、外部記憶媒体でもよい。例えば、記憶部４０は、メモリーカード等の外部記憶媒体でもよい。なお、外部記憶媒体は、各種あるが、その種別は問わない。
【００４６】
一方、撮影画像を保存しない場合には、制御部３０は、表示部６０に、各撮像部から出力される画像をプレビュー表示させる。この際、ユーザは、各撮像部に対する画質パラメータを変更してもよい。
【００４７】
次に、撮像装置１の動作について説明する。
【００４８】
図５は、撮像装置１の動作の一例を示すフローチャートである。
【００４９】
ステップＳ１において、各撮像部において、撮影が可能な状態にする。
【００５０】
初めに、第１の撮像部１０に関して、シャッターボタンを押下するまでの動作を説明する。
【００５１】
第１の撮像部１０は、広角画像を出力する（ステップＳ２）。
【００５２】
ステップＳ３において、制御部３０は、第１の表示領域６１に、第１の撮像部１０から出力された広角画像をプレビュー表示させる。
【００５３】
ステップＳ４において、パラメータ設定部３１は、第１の撮像部１０に対する画質パラメータを調整してもよい。その際に、パラメータ設定部３１は、ユーザの操作に基づいて、画質パラメータを調整してもよい。
【００５４】
次に、第２の撮像部２０に関して、シャッターボタンを押下するまでの動作を説明する。
【００５５】
まず、検出する対象物の画像が記憶部４０に登録されているか否かを、被写体決定部３２は判断する（ステップＳ５）。対象物の画像が登録されていない場合（ステップＳ５のＮｏ分岐）には、制御部３０は、広角画像のみを表示部６０に表示させる。対象物の画像が登録されている場合（ステップＳ５のＹｅｓ分岐）には、ステップＳ６に遷移する。
【００５６】
ステップＳ６において、対象物を検出するか否かを、被写体決定部３２は判断する。対象物を検出しない場合（ステップＳ６のＮｏ分岐）には、報知部７０は、音や光等によって、検出失敗を報知する（ステップＳ７）。対象物を検出した場合（ステップＳ６のＹｅｓ分岐）には、第２の撮像部２０は、望遠画像を出力する（ステップＳ８）。
【００５７】
ステップＳ９において、制御部３０は、第２の表示領域６２に、第２の撮像部２０から出力された望遠画像をプレビュー表示させる。
【００５８】
ステップＳ１０において、制御部３０は、第２の撮像部２０に対する画質パラメータを調整してもよい。その際に、制御部３０は、ユーザの操作に基づいて、画質パラメータを調整してもよい。
【００５９】
ステップＳ１１において、シャッターボタンが押下されたか否かを、制御部３０は判断する。シャッターボタンが押下された場合（ステップＳ１１のＹｅｓ分岐）には、ステップＳ１２に遷移する。シャッターボタンが押下されていない場合（ステップＳ１１のＮｏ分岐）には、第１の撮像部１０に関しては、ステップＳ２の処理に戻り、処理を継続する。さらに、第２の撮像部２０に関しては、ステップＳ５の処理に戻り、処理を継続する。
【００６０】
ステップＳ１２において、第１の撮像部１０及び第２の撮像部２０は、それぞれ撮影を行う。
【００６１】
次に、撮像装置１の撮影後の動作について説明する。
【００６２】
図６は、撮像装置１について、シャッターボタン押下後の動作の一例を示すフローチャートである。
【００６３】
ステップＳ１０１において、制御部３０は、第１の表示領域６１に、第１の撮像部１０の撮影画像を表示させる。
【００６４】
ステップＳ１０２において、制御部３０は、第２の表示領域６２に、第２の撮像部２０の撮影画像を表示させる。
【００６５】
ステップＳ１０３において、制御部３０は、ユーザの判断に基づいて、撮影画像を保存するか否かを決定する。撮影画像を保存する場合（ステップＳ１０３のＹｅｓ分岐）、制御部３０は、各撮像部が出力した撮影画像を、記憶部４０に記憶させる（ステップＳ１０４）。撮影画像を保存しない場合（ステップＳ１０３のＮｏ分岐）には、ステップＳ１１に遷移し、処理を継続する。
【００６６】
以上のように、本実施形態に係る撮像装置１は、被写体及び構図に応じて、画質が異なる複数の画像を同時に撮影できる。例えば、子供のお遊戯会等で、会場全体を撮影した広角画像と、特定の被写体（自分の子供等）を拡大した望遠画像の２種類の画像を、同時に撮影できる。その結果、本実施形態に係る撮像装置１では、ユーザがシャッターチャンスを逃す可能性を低くできる。さらに、本実施形態に係る撮像装置１では、各撮像部に対して、異なる画質を設定できる。例えば、一つの撮像部は、会場の雰囲気が分かる色再現性で会場全体を撮影する。一方の撮像部は、特定の人物の動きを鮮明に捉える等、異なる画質で画像を撮影できる。そのため、本実施形態に係る撮像装置１は、ユーザにとって、利便性が高い撮像装置となる。
【００６７】
［第２の実施形態］
第２の実施形態について、図面を用いてより詳細に説明する。
【００６８】
本実施形態では、タッチパネル上で、ユーザが、特定の被写体を設定する形態について説明する。なお、本実施形態における説明では、第１の実施形態と重複する説明は省略する。さらに、本実施形態における説明では、第１の実施形態と同一の構成要素には、同一の符号を付し、その説明を省略する。
【００６９】
図７は、本実施形態に係る撮像装置１ａの表示部６０の一例である。
【００７０】
本実施形態では、第１の表示領域６１とタッチパネル５１が一体化しているとする。そして、ユーザは、第１の表示領域６１のプレビュー画像から、望遠画像の被写体を選択する。そのため、本実施形態に係る撮像装置１ａは、予め登録していない物体であっても、望遠画像の被写体に設定できる。
【００７１】
図８は、本実施形態に係る撮像装置１ａの内部構成の一例を示す図である。図３と図８の相違点は、操作部５０がタッチパネル５１を備える点である。
【００７２】
タッチパネル５１は、平板上のセンサによりユーザの接触操作を検出する。ここで、タッチパネルの方式には、静電容量方式を初めとして各種存在するが、その方式は問わない。
【００７３】
まず、タッチパネル５１は、ユーザの操作を検出する。そして、制御部３０ａは、タッチパネル５１がユーザの操作を検出したか否かを判断する。被写体決定部３２ａは、第１の表示領域内６１で、ユーザによって指定された位置を基準として対象物を特定する。そして、被写体決定部３２ａは、特定された対象物を被写体として決定する。そして、被写体決定部３２ａは、特定された対象物の画像を記憶部４０ａに記憶する。
【００７４】
その後、第２の撮像部２０ａは、記憶された画像に基づいて、第１の実施形態と同様に、選択した被写体の望遠画像を撮影する。なお、本実施形態に係る撮像装置１ａにおいても、各撮像部が異なる画質で、画像を撮影できることは勿論である。
【００７５】
以上のように、本実施形態に係る撮像装置１ａでは、被写体の画像を、予め登録する必要がない。そのため、状況に応じて、広角画像のプレビュー表示を確認しながら、望遠画像の被写体を選択できる。
【００７６】
また、上述の実施形態では、２つの撮像部を備える撮像装置について説明したが、３つ以上の撮像部を備える撮像装置であってもよいことは勿論である。
【００７７】
上記の実施形態の一部又は全部は、以下の付記のようにも記載され得るが、以下には限られない。
【００７８】
（付記１）互いに独立して撮影が可能な複数の撮像部と、前記複数の撮像部のそれぞれに対し、撮影する際の画質に関するパラメータを独立して設定可能なパラメータ設定部と、を備える撮像装置。
【００７９】
（付記２）前記複数の撮像部は、第１の画角で撮影する第１の撮像部と、前記第１の画角よりも狭い第２の画角で撮影する第２の撮像部と、を含む撮像装置。
【００８０】
（付記３）前記各撮像部は、前記パラメータに基づいて、階調補正、ガンマ補正、ホワイトバランス補正、ノイズ除去、輪郭補正の少なくともいずれかの処理を行う撮像装置。
【００８１】
（付記４）前記パラメータ設定部は、ユーザの操作に基づいて、前記パラメータを変更する撮像装置。
【００８２】
（付記５）前記パラメータは、明度、色調、彩度、シャッター速度、露出、ホワイトバランスの少なくともいずれかの情報を含む撮像装置。
【００８３】
（付記６）さらに、前記第１の撮像部によって撮影される画像と、予め登録された所定の画像と、の照合結果に基づいて、前記第２の撮像部が撮影する被写体を決定する被写体決定部を備える撮像装置。
【００８４】
（付記７）さらに、前記第１の撮像部によって撮影される画像を表示する第１の表示領域と、前記第２の撮像部によって撮影される画像を表示する第２の表示領域と、を含む表示部と、を備え、前記被写体決定部は、第１の表示領域内で、ユーザによって指定された位置を基準として対象物を特定し、前記対象物を前記被写体として決定する撮像装置。
【００８５】
（付記８）複数の撮像部を備える撮像装置の制御方法であって、複数の画像を独立して撮影する工程と、前記複数の撮像部のそれぞれに対し、撮影する際の画質に関するパラメータを独立して設定可能なパラメータ設定工程を含む撮像装置の制御方法。
【００８６】
（付記９）複数の撮像部を備える撮像装置を制御するコンピュータに実行させるプログラムであって、複数の画像を独立して撮影する処理と、前記複数の撮像部のそれぞれに対し、撮影する際の画質に関するパラメータを独立して設定可能なパラメータ設定処理を実行するプログラム。
【００８７】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００８８】
１、１ａ、１００  撮像装置
１０  第１の撮像部
１１  第１の光学系
１２  第１の撮像素子
１３、２３  Ａ／Ｄ変換器
１４、２４  画像処理ＤＳＰ
１５、２５  画像処理用記憶部
１６、２６  撮影レンズ
１７、２７  絞り
２０、２０ａ  第２の撮像部
２１  第２の光学系
２２  第２の撮像素子
３０、３０ａ  制御部
３１、１０２  パラメータ設定部
３２、３２ａ  被写体決定部
４０、４０ａ  記憶部
５０  操作部
５１  タッチパネル
６０  表示部
６１  第１の表示領域
６２  第２の表示領域
７０  報知部
１０１  撮像部
２０１  人物
【図１】
2013219525.tif 000003
【図２】
2013219525.tif 000004
【図３】
2013219525.tif 000005
【図４】
2013219525.tif 000006
【図５】
2013219525.tif 000007
【図６】
2013219525.tif 000008
【図７】
2013219525.tif 000009
【図８】
2013219525.tif 000010